(57)【要約】【課題】１００枚程度の乗車券を一度に発券できるようにし、団体利用客に対して便利のよい自動券売機を提供する。【解決手段】乗車券を放出する発券口（４２）よりも下に１００枚程度の大量の乗車券を積層可能とする券収容室（４４）を設ける。該券収容室（４４）は、上下動するカバー（４５）により開閉可能とする。【選択図】　図３
2004062767.tif 000002
【特許請求の範囲】
【請求項１】
団体発券機能を有する自動券売機であって、
媒体を放出する発券口と連通するよう内側に窪み、該発券口よりも下方に回数券の枚数よりも多く収容することができるよう形成された券収容室と、
該券収容室の前部分を上下動することにより、該券収容室を開閉する透明又は半透明のカバーと、
を備え、閉鎖された前記券収容室内に前記発券口より放出される媒体が積層されることを特徴とする自動券売機。
【請求項２】
団体発券の意思があったとき、下方位置にあり、前記券収容室を開放していた前記カバーが第１のソレノイドによりロック解除され上方に持ち上げ可能となることを特徴とする請求項１に記載の自動券売機。
【請求項３】
前記カバーを最上位に持ち上げたとき、該カバーが第２のソレノイドによりロックされることを特徴とする請求項１又は２に記載の自動券売機。
【発明の詳細な説明】
【０００１】
【発明の属する技術分野】
本発明は、自動券売機に関し、特に、大量の発券枚数を可能した自動券売機に関する。
【０００２】
【従来の技術】
従来における自動券売機においては、複数枚の乗車券等を発券する際の複数枚発券機能を有する。この複数枚発券機能は、２枚発券キー（或いはボタン）、３枚発券キー、４枚発券キー及び５枚発券キーが設けられ、該タッチキーにタッチし、或いはボタンを押すことにより、一度に５枚程度の乗車券等を発券する。
【０００３】
この他、回数券を自動券売機で購入するときには、回数券購入キーをタッチすることにより、１１枚の回数乗車券が一度に発券される。
【０００４】
このように従来の自動券売機の複数枚発券機能にあっては、限られた枚数、それも回数券といっても１１枚つづりであり、結局のところ、複数枚の乗車券を発券できるといっても一度に１０程度しか発券できなかった。
【０００５】
【発明が解決しようとする課題】
しかし、小学生或いは中学生の課外授業、遠足にあっては、一クラス分であっても４０枚程度の乗車券が必要であり、従来の自動券売機にあってはこのような大量の、具体的には１００枚程度一度に発券することができず、団体利用客に対して一度に対応することができなかった。
【０００６】
本発明は、上記点に鑑みてなされたものであって、１００枚程度一度に発券することができ、団体利用者に対して便利である自動券売機を提供することを目的するものである。
【０００７】
【課題を解決するための手段】
上記課題を解決するため本発明は、団体発券機能を有する自動券売機であって、
媒体を放出する発券口と連通するよう内側に窪み、該発券口よりも下方に回数券の枚数よりも多く収容することができるよう形成された券収容室と、該券収容室の前部分を上下動することにより、該券収容室を開閉する透明又は半透明のカバーと、を備え、閉鎖された前記券収容室内に前記発券口より放出される媒体が積層される自動券売機とした。
【０００８】
回数券よりも多い数とは、例えば１００枚程度であるが、それ以上であってもよい。カバーの上下動は、手動で行ってもよく、自動で上下動するようにしてもよい。このように大量の媒体、つまり乗車券を購入できるようにすることにより、団体利用客、例えば、小学生、中学生等の課外授業、遠足等において、まとめて乗車券を購入することができ、便利である。
【０００９】
団体発券の意思があったとき、下方位置でロックされ、前記券収容室を開放しているカバーが第１のソレノイドによりロック解除される。これにより、カバーが上方に持ち上げ可能となる。上記したように自動のときは、ロック解除された後、直ちに上昇する。
【００１０】
カバーを最上位に持ち上げると、リミットスイッチの検出により、該カバーが第２のソレノイドによりロックされる。
【００１１】
【発明の実施の形態】
以下、本発明を図面に示した好ましい一実施の形態に基づいて詳細に説明するが、本発明の技術的範囲は、添付図面に示された実施の形態に限定されるものではなく、特許請求の範囲に記載された範囲内において適宜変更が可能である。
【００１２】
図１は、本発明の券受取り口が設けられた自動券売機１０を示し、特に正面から見た接客部１２を示している。図１において、接客部１２は、その上部に自動券売機１０の案内表示部１４を有する。該案内表示部１４は、発券中であるときには「発売中」の表示を行い、故障或いは時間外のときには「発売中止」の表示を行う。
【００１３】
接客部１２は、その中間部に利用客が乗車券を購入する際に操作するタッチパネル１６を有する。該タッチパネル１６は、図示の例では「団体発券」キー１８が表示されている。該団体発券キー１８をタッチするすることによりタッチパネル１６の表示が変わり、団体発券モードとなる。タッチパネル１６の左側には、呼び出しボタン２０と取り消しボタン２２とが設けられている。
【００１４】
接客部１２は、その下部に硬貨投入口２４及び紙幣挿入口２６を有する。これら硬貨投入口２４又は紙幣挿入口２６より投入された金額は、投入金額表示部２８に表示される。該投入金額表示部２８は、硬貨投入口２４の上部に位置する。乗車券を購入して釣銭があるときは、釣り札は釣り札放出口３０から放出され、釣銭硬貨は硬貨放出口３２より受け皿３４に放出される。乗車券の発券は、本発明に係る券受取り装置４０の発券口４２から発券される。
【００１５】
図２は、断面図で示された券受取り装置４０を示している。図２において、券受取り装置４０は、券売機１０の内側方向に窪んだ券収容室４４と、該券収容室４４を開閉するカバー４５を有する。該カバー４５は、券収容室４４内が見えるように透明体から構成されるのが好ましい。券収容室４４は、前壁４４ａと底壁４４ｂにより形成される。発券口４２は前壁４４ａの上部に形成される。発券ユニット５０は、発券口４２に対応するよう券売機１０に内蔵される。
【００１６】
発券ユニット５０としては通常の発券装置が使用される。概説すると、発券ユニット５０は、ロール紙５２と、カッター５４と、磁気書込みヘッド５６と、印字ヘッド５８と、キャッチング機構６０と、複数枚の券を発券するときにまとめて排出するまとめ機構６２とを有する。例えば、１枚の乗車券、４枚までの複数の乗車券、及び１１枚の回数券を発券するときには、キャッチング機構６０により乗車券は発券口４２から飛び出した状態でキャッチング機構６０により保持される。購入者は飛び出した部分を指で摘んで引き抜く。
【００１７】
しかし、図１に示すタッチパネル１６の団体発券キー１８をタッチすると、キャッチング機構６０は制御装置７０により機能しないよう制御され、乗車券は一枚ずつ発券口４２から券収容室４４に放出される。つまり、団体発券キー１８をタッチすると、回数券の１１枚よりも多い大量の乗車券を発券することになり、キャッチング機構６０の保持機能が作用しなくなるため、一枚ずつ発券口４２より放出するようにするように制御される。そして、図３に示すように、底壁４４ｂ上に所定枚数の乗車券を積層する。このとき、カバー４５は、その摘み部４５ａを摘んで上方にスライドされ、放出される乗車券が券収容室４４からとびださないように閉鎖されている。このカバー４５の閉鎖は、団体発券キー１８をタッチすることにより、自動的に又は手動で上に持ち上げる。
【００１８】
団体発券キー１８をタッチすることにより、第１のソレノイド４６への通電が遮断され、カバー１８は該第１のソレノイド４６によるロックが解除され、上に移動可能となる。この第１のソレノイド４６は、第１のリミットスイッチＬＳ１によるカバー１８の下位位置を検出することにより作動され、カバー１８が上に持ち上がらないようにロックする。
【００１９】
この第１のソレノイド４６によるカバー１８のロックが解除した後は、利用客は摘み部４５ａをもってカバー１８を上に持ち上げる。そして、一番上にまで持ち上げると、第２のリミットスイッチＬＳ２がこれを検知し、第２のソレノイド４７が作動する。そして、カバー１８が下に落ちないようにロックする。このようにカバー１８が上に持ち上げられることにより、券収容室４４は閉鎖されて、大量の団体乗車券の発券を受け入れる。ここで、大量とは、約１００枚程度までの乗車券の発券であるが、これ以上受け入れるようにしてもよい。例えば、１００枚の団体乗車券を発券するには、券収容室４４の底壁４４ｂから発券口４２までの距離（高さ）Ｌ１が１００枚の乗車券の厚さＬ２よりも大きいことが条件となる。つまり、収容高さＬ１＞最大発券枚数の厚さＬ２の関係となるようＬ１とＬ２との関係を設定する。
【００２０】
次に、図４に示すフローチャートに基づいて、図１〜図３を参照しながら、大量の団体乗車券を発券する際の動作について説明する。
【００２１】
ステップ（以下、ＳＴと略す。）１００で団体発券の指示があると、ＳＴ１０２により第１ソレノイド４６によるカバー４５の下方位置でのロックが解除され、該カバー４５の上方への持ち上げが可能となる。団体発券の指示は、図１に示す券売機１０のタッチパネル１６の団体発券キー１８をタッチすることにより行われる。
【００２２】
ＳＴ１０４では、第２ソレノイド４７によりカバー４５が上に持ち上げられてロックされたか否か監視される。これにより券収容室４４内へ乗車券を放出可能となる。
【００２３】
ＳＴ１０６では、行き先駅までの金額の指示があるか否か監視される。通常、団体発券キー１８をタッチすると、タッチパネル１６の表示が金額表示に変わる。利用客は所望の金額キーをタッチすることにより、降車駅までの金額の指示を与える。例えば、１８０円区間の金額キーをタッチする。
【００２４】
ＳＴ１０８では、前記金額キーをタッチして金額を定めた後、タッチパネル１６の表示が枚数購入用の表示になる。つまり、タッチパネル１６の表示は、０〜９までの数字表示となる。例えば７５枚購入するときは、数字の「７」をタッチした後、数字の「５」をタッチし確認キーをタッチする。
【００２５】
ＳＴ１１０では、上記枚数の指示により図２に示す制御装置７０の制御に基づいて発券装置５０により発券処理が行われる。この際、制御装置７０により発券装置５０のキャッチング機構６０が機能しないよう制御される。この発券処理により上記７５枚の乗車券は、図３に示されるように、発券口４２から次々と放出され、該放出された乗車券は券収容室４４の底壁４４ｂ上に堆積する。この乗車券の放出は、カバー４５が閉じているため、乗車券は券収容室４４から外部にこぼれることがない。
【００２６】
ここで、本発明においては、ＳＴ１０４については、ＳＴ１０８の後に位置するようにしてもよい、つまり、ＳＴ１０８の枚数指示があった後に、ＳＴ１０４の第２ソレノイド４７によるカバー４５のロック状態を監視するようにしてもよい。そして、カバー４５がロックされた後に、ＳＴ１１０に進み、発券処理を行うようにしてもよい。
【００２７】
ＳＴ１１２では、乗車券が所定枚数発券されたか否かを監視する。発券枚数の計数は、図２に示す検知センサ６４が乗車券が搬送通路６６を通過するのを検出し、該検出信号を制御装置７０のカウンタ部により計数される。所定枚数に達しないときは、ＳＴ１０８にリターンし、更に発券処理を行う。
【００２８】
発券が終了すると、ＳＴ１１４に進み、第２ソレノイド４７によるカバー４５のロックが解除される。利用客は該カバー４５を下方にスライドさせる。カバー４５が完全に下降すると第１のリミットスイッチＬＳ１はこれを検出し、ＳＴ１１６に進む。
【００２９】
ＳＴ１１６では、上記第１のリミットスイッチＬＳ１の検出信号により、第１のソレノイド４６が作動し、カバー４５がロックされたか否かが判断される。ロックされたときは、カバー４５は完全に下降したと認識される。つまり、券収容室４４が開放状態となり、利用客は大量の団体用の乗車券を受け取る。
【００３０】
発券が終了すると、図３に示すように、ランプ４８を点滅させるようにしてもよく、ブザー（図示せず）を鳴らすようにしてもよい。
【００３１】
【発明の効果】
以上説明したように本発明の自動改札機によれば、自動券売機の発券口の下方に券収容室を形成し、該券収容室を開閉する透明又は半透明のカバーを設けることにより、大量の団体用の乗車券を発券することができる。
【図面の簡単な説明】
【図１】本発明に係る大量の媒体を収容する収容室を備えた自動券売機の接客部の正面図である。
【図２】図１に示したＩＩ−ＩＩに沿って切断された拡大断面図であって、券収容室の構造を示している。
【図３】図２に示した券収容室に大量の媒体が積層される状態を示した図である。
【図４】図２に示した制御装置のフローチャートであって、団体発券の際の制御フローチャートを示している。
【符号の説明】
１０　券売機
１８　団体発券キー
４２　発券口
４４　券収容室
４５　カバー
４６　第１のソレノイド
４７　第２のソレノイド
５０　発券装置
７０　制御装置
【図１】
2004062767.tif 000003
【図２】
2004062767.tif 000004
【図３】
2004062767.tif 000005
【図４】
2004062767.tif 000006